(57)【要約】【課題】外歯部材の公転運動を止めた状態に保持するクサビ部材の食込み力を確保する一方で、外歯部材を内側から押圧して公転運動させる際の摺動する動きを滑らかにする。【解決手段】連結装置としてのリクライニング装置４は内歯部材１０と外歯部材２０とを有する。内歯部材１０の筒部１２と外歯部材２０の貫通孔２２とは互いに偏心しており、両者の隙間内に配設されたクサビ部材３０Ａ，３０Ｂの食い込み力によって外歯部材２０の公転運動が押し止められる。クサビ部材３０Ａ，３０Ｂは樹脂製の押動部材５０に形成された当接部５２Ａ，５３Ａ及び当接部５２Ｂ，５３Ｂに押動されることで食込み状態から外される。クサビ部材３０Ａ，３０Ｂが食い込み状態から外されることにより、樹脂製の当接部５２Ａ，５３Ａ及び当接部５２Ｂ，５３Ｂが外歯部材２０の貫通孔２２の内周面を摺動してこれを押動する。【選択図】図１
2008194280.tif 000002
【特許請求の範囲】
【請求項１】
互いに相対回動可能に配設された２つの回動部材の間に位置してこれらを連結する連結装置であって、
前記２つの回動部材のうちの一方と連結され、円筒状に突出形成された内歯車を一体的に有する内歯部材と、
該内歯部材に形成された内歯車に噛合状態で設けられる円筒状に突出形成された外歯車を一体的に有し、前記２つの回動部材のうちの他方と連結される外歯部材と、を有し、
前記外歯部材に形成された外歯車は、前記内歯車に形成された内歯車よりも小径で、かつ、互いに異なる歯数に形成されており、該外歯車を噛合状態の内歯車の内歯面に沿って相対的に公転運動させることにより、両歯車の歯数差によって前記２つの回動部材が相対的に回動運動する構成となっており、
前記外歯車の中心部には軸方向に貫通した貫通孔が形成されており、前記内歯車の中心部には前記外歯車に形成された貫通孔内に挿通される円筒状の筒部が突出形成されており、該外歯車に形成された貫通孔と内歯車に形成された筒部とは両歯車の噛合構造によって互いが偏心した配置関係とされており、該貫通孔の内周面と筒部の外周面との間の偏心した隙間形状の内部にはその軸対称の位置に一対のクサビ部材が配設されており、
該一対のクサビ部材は、常時はこれらに掛着された附勢部材の附勢力によってそれぞれが前記偏心した隙間形状に挟み込み状に食い込んで前記外歯車の外歯面を内歯車の内歯面に押し付けた状態として保持されており、該附勢に抗してクサビ部材の一方を前記貫通孔内に挿通された押動部材の軸回動操作によって隙間形状の内部を円周方向に押動操作することにより前記外歯車が貫通孔の内周面側から円周方向に順に押動されて前記内歯車の内歯面に沿って相対的に公転運動するようになっており、
前記押動部材には前記外歯車に形成された貫通孔の内周面と当接可能な樹脂製の当接部が一体的に形成されており、該樹脂製の当接部は前記一対のクサビ部材が隙間形状に食い込んだ状態となっているときには該クサビ部材の食い込み力によって貫通孔の内周面が筒部の外周面から引き離される作用によって貫通孔の内周面から離間した位置状態に保持されており、一方のクサビ部材が前記押動部材によって円周方向に押動されて食い込み状態から外されることにより前記当接部が貫通孔の内周面と当接した状態となって円周方向に回動しながら貫通孔の内周面を押圧するようになっていることを特徴とする連結装置。
【請求項２】
請求項１に記載の連結装置であって、
前記押動部材に一体的に形成される当接部は、該押動部材の円周方向に複数設定されていることを特徴とする連結装置。
【請求項３】
請求項１又は請求項２に記載の連結装置であって、
前記押動部材に一体的に形成される当接部は、前記クサビ部材を前記附勢部材の附勢力に抗して円周方向に押動するための押動部として構成されていることを特徴とする連結装置。
【請求項４】
請求項３に記載の連結装置であって、
前記押動部材に一体的に形成される当接部は、前記各クサビ部材の外周面部に形成された凹部内に入り込んだ状態として設けられており、該押動部材を軸回動させる動きによって凹部内を移動して前記クサビ部材を前記附勢部材の附勢力に抗して円周方向に押動することを特徴とする連結装置。
【請求項５】
請求項１から請求項４のいずれかに記載の連結装置であって、
該連結装置によって互いに相対回動可能に連結される２つの回動部材は、それぞれ前記車両用シートのシートバック或いはシートクッションの骨格フレームとなっており、
これら両骨格フレームを相対回動させたりその動きを止めたりする動きによって前記シートバックのシートクッションに対する背凭れ角度の調整を行える構成となっていることを特徴とする連結装置。
【発明の詳細な説明】
【技術分野】
【０００１】
本発明は、連結装置に関する。詳しくは、互いに相対回動可能に配設された２つの回動部材の間に位置してこれらを連結する連結装置に関する。
【背景技術】
【０００２】
従来より、車両用シートには、シートバックの背凭れ角度の調整装置としてリクライニング装置が備え付けられている。ここで、下記特許文献１には、シートバックの角度調整を無段階的に行えるようにしたリクライニング装置の構成が開示されている。この開示では、リクライニング装置がシートバックとシートクッションとの間に左右一対で配設されており、これらの同期した動きに伴ってシートバックの背凭れ角度が無段階的に調整されるようになっている。
具体的には、リクライニング装置は、シートバックの骨格フレームとシートクッションの骨格フレームとを互いに連結するかたちで設けられている。このリクライニング装置は、内歯車を一体的に有した板形状の内歯部材と、この内歯車に噛合状態で設けられる外歯車を一体的に有した板形状の外歯部材と、を有する。これら内歯部材や外歯部材は、上記した各骨格フレームに対してそれぞれ剛結合されている。そして、これら内歯部材や外歯部材は、互いに板厚方向には離間移動しないように挟持された構成となっており、それらの噛合構造によって外歯車を内歯車の内周面に沿って公転運動させられるようになっている。ここで、外歯車は、内歯車よりも小径に形成されており、内歯車よりも少ない歯数で構成されている。したがって、外歯車を内歯車の内部で公転運動させることにより、その歯数差によって、シートバックをシートクッションに対して相対的に傾動させることができる。
この外歯車の公転運動は、その中心部に形成された貫通孔の内周面と内歯車の中心部から円筒状に突出形成された筒部の外周面との間の隙間に配設された一対のクサビ部材を円周方向に押動操作することによって行われる。これらクサビ部材は、常時はそれらの間に掛着されたばね部材によって、外歯車を内歯車の内周面に押し付けるように上記の隙間に食い込んだ姿勢状態として保持されている。そして、クサビ部材は、リクライニング装置の中心部に挿通された操作部材を軸回動させる動きに伴って、その一方が食い込み状態を外す方向に押し回されるようになっている。ここで、外歯車は、内歯車の内周面に沿って公転運動する構成であるため、その中心軸は、内歯車の中心軸から偏心した配置関係となっている。したがって、外歯車は、クサビ部材の一方が円周方向に押し回される動きに伴って、回転カムに内側から押出し力を受ける如く円周方向に順に内側からの押出し力を受けながら内歯車の内周面に沿って公転運動していく。このクサビ部材は、その円周方向に押し回される動きが止まることにより、ばね部材の附勢力によって、上記の隙間に食い込んだ姿勢状態に戻されて保持される。
ここで、上記文献のリクライニング装置では、クサビ部材の滑りを良くするために、クサビ部材が摺動する外歯車の内周面に沿って円筒形状のブッシュが介設されている。これにより、クサビ部材が外歯車の内周面に沿って滑らかに円周方向に摺動できるようになっている。
【特許文献１】特表２００３−５０７１０１号公報
【発明の開示】
【発明が解決しようとする課題】
【０００３】
しかし、上記特許文献１に開示の従来技術では、クサビ部材は、外歯部材と内歯部材との間の隙間に食い込んだ状態のときも外された状態のときも常にその外周面がブッシュに当接した状態となる。したがって、クサビ部材が食い込み状態から外されて外歯部材を押動する際の円周方向に摺動する動きは滑らかとなるが、その分、隙間に食い込もうとする食い込み力が弱くなってしまう。
【０００４】
本発明は、上記した問題を解決するものとして創案されたものであって、本発明が解決しようとする課題は、外歯部材の公転運動を止めた状態に保持するためのクサビ部材の食い込み力を確保する一方で、外歯部材を内側から押圧して公転運動させる際の摺動する動きを滑らかにすることにある。
【課題を解決するための手段】
【０００５】
上記課題を解決するために、本発明の連結装置は次の手段をとる。
先ず、第１の発明は、互いに相対回動可能に配設された２つの回動部材の間に位置してこれらを連結する連結装置であり、内歯部材と外歯部材とを有する。内歯部材は、２つの回動部材のうちの一方と連結され、円筒状に突出形成された内歯車を一体的に有する。外歯部材は、内歯部材に形成された内歯車に噛合状態で設けられる円筒状に突出形成された外歯車を一体的に有し、２つの回動部材のうちの他方と連結される。外歯部材に形成された外歯車は、内歯車に形成された内歯車よりも小径で、かつ、互いに異なる歯数に形成されており、外歯車を噛合状態の内歯車の内周面に沿って相対的に公転運動させることにより、両歯車の歯数差によって２つの回動部材が相対的に回動運動する構成となっている。外歯車の中心部には、軸方向に貫通した貫通孔が形成されている。内歯車の中心部には、外歯車に形成された貫通孔内に挿通される円筒状の筒部が突出形成されている。外歯車に形成された貫通孔と内歯車に形成された筒部とは、両歯車の噛合構造によって互いが偏心した配置関係とされている。貫通孔の内周面と筒部の外周面との間の偏心した隙間形状の内部には、その軸対称の位置に一対のクサビ部材が配設されている。一対のクサビ部材は、常時はこれらに掛着された附勢部材の附勢力によって、それぞれが偏心した隙間形状に挟み込み状に食い込んで、外歯車を内歯車の内周面に押し付けた状態として保持されている。上記の附勢に抗してクサビ部材の一方を貫通孔内に挿通された押動部材の軸回動操作によって隙間形状の内部を円周方向に押動操作することにより、外歯車が、貫通孔の内周面側から円周方向に順に押動されて内歯車の内周面に沿って相対的に公転運動するようになっている。押動部材には、外歯車に形成された貫通孔の内周面と当接可能な樹脂製の当接部が一体的に形成されている。樹脂製の当接部は、一対のクサビ部材が隙間形状に食い込んだ状態となっているときには、クサビ部材の食い込み力によって貫通孔の内周面が筒部の外周面から引き離される作用によって貫通孔の内周面から離間した位置状態に保持されている。そして、当接部は、一方のクサビ部材が押動部材によって円周方向に押動されて食い込み状態から外されることにより、貫通孔の内周面と当接した状態となって円周方向に回動しながら貫通孔の内周面を押圧するようになっている。
この第１の発明によれば、外歯車に形成された貫通孔と内歯車に形成された筒部との間の隙間に配設された一対のクサビ部材は、常時は、附勢部材の附勢力によってこの隙間形状に食い込んだ状態として保持される。この状態では、クサビ部材の食い込み力によって貫通孔の内周面が外方に押圧された状態となり、外歯車の外歯面が内歯車の内歯面に押し付けられた状態として保持される。したがって、外歯車と内歯車とが互いにがたつきのない状態で噛合された状態となり、外歯車の公転運動が押し止められた状態として保持される。このとき、押動部材に形成された樹脂製の当接部は、貫通孔の内周面がクサビ部材の食い込み力によって筒部の外周面から引き離される作用によって貫通孔の内周面から離間した位置状態とされている。そして、この状態から押動部材が軸回動操作されると、一方のクサビ部材が上記の附勢に抗して円周方向に押動操作されて食い込み状態から外される。これにより、貫通孔の内周面が離間した位置状態から戻されるため、当接部が貫通孔の内周面と当接した状態となって円周方向に回動しながら貫通孔の内周面を押圧する。これにより、外歯車が貫通孔の内周面側から円周方向に順に押動されて内歯車の内周面に沿って相対的に公転運動するようになる。
【０００６】
次に、第２の発明は、上述した第１の発明において、押動部材に一体的に形成される当接部は、押動部材の円周方向に複数設定されている。
この第２の発明によれば、押動部材に形成された複数の当接部によって、外歯車が貫通孔の内周面側から円周方向に順に押動される。
【０００７】
次に、第３の発明は、上述した第１又は第２の発明において、押動部材に一体的に形成される当接部は、クサビ部材を附勢部材の附勢力に抗して円周方向に押動するための押動部として構成されている。
この第３の発明によれば、クサビ部材は、押動部材に一体的に形成された当接部によって、直接、円周方向に押動操作されて食い込み状態から外される。
【０００８】
次に、第４の発明は、上述した第３の発明において、押動部材に一体的に形成される当接部は、各クサビ部材の外周面部に形成された凹部内に入り込んだ状態として設けられており、押動部材を軸回動させる動きによって凹部内を移動してクサビ部材を附勢部材の附勢力に抗して円周方向に押動する。
この第４の発明によれば、クサビ部材は、その外周面部に形成された凹部内に設けられた押動部材の当接部によって、直接、円周方向に押動操作されて食い込み状態から外される。
【０００９】
次に、第５の発明は、上述した第１から第４のいずれかの発明において、連結装置によって互いに相対回動可能に連結される２つの回動部材は、それぞれ車両用シートのシートバック或いはシートクッションの骨格フレームとなっている。この連結装置は、両骨格フレームを相対回動させたりその動きを止めたりする動きによって、シートバックのシートクッションに対する背凭れ角度の調整を行える構成となっている。
この第５の発明によれば、連結装置は、車両用シートのシートバックの背凭れ角度を調整するためのリクライニング装置として機能する。
【発明の効果】
【００１０】
本発明は上述した手段をとることにより、次の効果を得ることができる。
先ず、第１の発明によれば、外歯部材の公転運動を止める際には、クサビ部材を外歯車と内歯車との間の隙間に直接食い込ませることができる。そして、外歯部材を公転運動させる際には、押動部材に形成された樹脂製の当接部を外歯車の内周面上を摺動させることによって、外歯車を内側から押動して公転運動させることができる。したがって、外歯部材の公転運動を止めた状態に保持するためのクサビ部材の食い込み力を確保し、かつ、外歯部材を内側から押圧して公転運動させる際の摺動する動きを滑らかにすることができる。
更に、第２の発明によれば、外歯部材を押動して公転運動させる樹脂製の当接部を押動部材の円周方向に複数設定したことにより、外歯部材を押圧するための強度を確保することができ、押動操作を安定して行うことができる。
更に、第３の発明によれば、外歯部材を押動して公転運動させるために形成された樹脂製の当接部を、クサビ部材を押動して食い込み状態から外すための押動部としても構成したことにより、押動部材の構成を合理化してコンパクトにすることができる。
更に、第４の発明によれば、押動部材に形成された樹脂製の当接部をクサビ部材に形成された凹部内に配設したことにより、当接部の配置スペースを小さく収めることができる。
更に、第５の発明によれば、上記構成の連結装置を車両用シートのリクライニング装置に適用したことにより、シートバックの背凭れ角度の調整を円滑に、かつ安定して行うことができる。
【発明を実施するための最良の形態】
【００１１】
以下に、本発明を実施するための最良の形態の実施例について、図面を用いて説明する。以下の実施例では、本発明の連結装置にかかる構成を、車両用シートのリクライニング装置として採用している。
【実施例１】
【００１２】
始めに、実施例１のリクライニング装置４の構成について、図１〜図８を用いて説明する。ここで、図１にはリクライニング装置４の分解斜視図が表されており、図２にはリクライニング装置４が組み付けられた状態の車両用シート１の概略構成が表されている。
【００１３】
本実施例のリクライニング装置４，４は、図２を参照して分かるように、車両用シート１の両側部に左右一対で配設されており、それぞれシートバック２とシートクッション３とを連結している。この一対のリクライニング装置４，４は、その作動状態の切換えを行うことによって、シートバック２の背凭れ角度を調整したり、背凭れ角度を維持したりするようになっている。
このリクライニング装置４，４の作動状態の切換えは、これらの内部に挿通された操作軸６０，６０を軸回動させる動きによって行われる。これら操作軸６０，６０は、車両用シート１の内部に配設された図示しない電動モータと連結されており、電動モータからの駆動力を受けることで左右で同期した軸回動操作が行われるようになっている。この電動モータは、例えば車両用シート１の側部位置に配設されたスイッチ（図示省略）の切換え操作を行うことにより、ＯＮ／ＯＦＦの切換えや正転・逆転の切換えが行われるようになっている。
ここで、各リクライニング装置４，４は、操作軸６０，６０が軸回動操作される前の常時は、シートバック２の傾き角度を維持した状態となっている。そして、リクライニング装置４，４は、電動モータによって操作軸６０，６０が軸回動操作されることにより、その動きに連動してシートバック２の背凭れ角度を変動させるように作動する。
【００１４】
以下、リクライニング装置４，４の構成について詳しく説明する。なお、各リクライニング装置４，４は、互いに対称の構成となっているが、実質的な構成は同じとなっている。したがって、以下の説明では、図２に示されている一方側のリクライニング装置４の構成についてのみ説明する。
このリクライニング装置４の構成部品は、図１において詳しく表されている。すなわち、リクライニング装置４は、内歯部材１０と、外歯部材２０と、一対のクサビ部材３０Ａ，３０Ｂと、バネ部材４０と、押動部材５０と、操作軸６０と、外周リング７０と、が１つに組み付けられて構成されている。これら各部品は、金属製の部材によって形成されているが、押動部材５０だけは、樹脂製の部材によって形成されている。ここで、バネ部材４０が本発明の附勢部材に相当する。
以下、上記各部品の構成について詳しく説明する。
【００１５】
先ず、内歯部材１０の構成について説明する。すなわち、図１に示されるように、内歯部材１０は、概略円板形状に形成されている。
この内歯部材１０は、その円板形状の外周縁部位が板圧方向（軸方向）への半抜き加工によって円筒状に突出した形状に形成されている。そして、この円筒状に突出した部位の内周面には、内歯１１ａが形成されている。これにより、内歯部材１０の外周縁部位が円筒状に突出した内歯車１１として形成されている。
そして、内歯部材１０の円板形状の中心部には、外歯車２１と同じ板厚方向に突出した円筒形状の筒部１２が形成されている。この筒部１２の筒内は、円形状に貫通した挿通孔１２ａとして形成されている。この筒部１２の軸芯は、内歯車１１の中心１１ｒと同芯となっている。
この内歯部材１０は、図３に示されるように、その外板面をシートバック２の骨格を成すバックフレーム２ｆの板面と接合させることにより、シートバック２と一体的に連結されている。ここで、内歯部材１０の外板面には、その円周方向の複数箇所にダボ１３ａやＤダボ１３ｂが突出形成されている。このＤダボ１３ｂは、その突出形状の一部が断面Ｄ字状に切り欠かれた形状に形成されており、円筒形状に突出したダボ１３ａとは形状が区別されるようになっている。一方、バックフレーム２ｆには、これらダボ１３ａやＤダボ１３ｂを嵌合させることのできるダボ孔２ａやＤダボ孔２ｂが貫通形成されている。したがって、これらダボ１３ａやＤダボ１３ｂを、バックフレーム２ｆに形成されたダボ孔２ａやＤダボ孔２ｂに嵌合させた状態で両板面を溶着して接合することにより、内歯部材１０とバックフレーム２ｆとが強固に一体的に連結されている。
なお、バックフレーム２ｆには、内歯部材１０に形成された挿通孔１２ａと同芯上の位置に挿通孔２ｃが貫通形成されている。ここで、バックフレーム２ｆが本発明の２つの回動部材のうちの一方に相当する。
【００１６】
次に、図１に戻って、外歯部材２０の構成について説明する。この外歯部材２０は、内歯部材１０よりもひとまわり大きな外径を有した概略円板形状に形成されている。
この外歯部材２０は、内歯部材１０とは逆に、その円板形状の外周縁部位を残した中心側の部位が板厚方向（軸方向）への半抜き加工によって円筒状に突出した形状に形成されている。そして、この円筒状に突出した部位の外周面には、外歯２１ａが形成されている。これにより、外歯部材２０の中心側の部位が円筒状に突出した外歯車２１として形成されている。
そして、外歯部材２０の円板形状の中心部には、円形状に貫通した貫通孔２２が形成されている。この貫通孔２２は、前述した内歯部材１０に形成された筒部１２の外径よりも大きく形成されている。この貫通孔２２の軸芯は、外歯車２１の中心２１ｒと同芯となっている。
この外歯部材２０は、図３に示されるように、その外板面をシートクッション３の骨格を成すクッションフレーム３ｆの板面と接合させることにより、シートクッション３と一体的に連結されている。ここで、図１に戻って、外歯部材２０の外板面には、その円周方向の複数箇所にダボ２３ａやＤダボ２３ｂが突出形成されている。このＤダボ２３ｂは、その突出形状の一部が断面Ｄ字状に切り欠かれた形状に形成されており、円筒形状に突出したダボ２３ａとは形状が区別されるようになっている。一方、図３に示されるように、クッションフレーム３ｆには、これらダボ２３ａやＤダボ２３ｂを嵌合させることのできるダボ孔３ａやＤダボ孔３ｂが貫通形成されている。したがって、これらダボ２３ａやＤダボ２３ｂを、クッションフレーム３ｆに形成されたダボ孔３ａやＤダボ孔３ｂに嵌合させた状態で両板面を溶着して接合することにより、外歯部材２０とクッションフレーム３ｆとが強固に一体的に連結されている。
なお、クッションフレーム３ｆには、前述した内歯部材１０に形成された挿通孔１２ａと同芯上の位置に挿通孔３ｃが貫通形成されている。ここで、クッションフレーム３ｆが本発明の２つの回動部材のうちの他方に相当する。
【００１７】
この外歯部材２０は、図４に示されるように、内歯部材１０と互いに向き合っている内板面同士を重ね合わせるようにして内歯部材１０に組み付けられる。これにより、図１の構成を参照して分かるように、外歯部材２０に形成された貫通孔２２の孔内に、内歯部材１０に突出形成された筒部１２が挿通された状態として、両者が組み付けられる。
詳しくは、外歯部材２０は、図５に示されるように、外歯車２１の外周面に形成された外歯２１ａを、内歯部材１０の内歯車１１の内周面に形成された内歯１１ａと噛合させた状態として組み付けられる。したがって、この組付け状態では、両歯車部材の噛合構造によって、外歯車２１の中心２１ｒと内歯車１１の中心１１ｒとが互いに偏心した配置関係とされている。
【００１８】
ここで、外歯車２１は、内歯車１１よりも小径で、かつ、少ない歯数に形成されている。具体的には、外歯車２１に形成された外歯２１ａの歯数は３３個となっており、内歯車１１に形成された内歯１１ａの歯数は３４個となっている。
したがって、外歯車２１を噛合状態の内歯車１１の内周面（内歯面）に沿って相対的に公転運動させることにより、上述した歯数差によって、外歯部材２０と内歯部材１０との相対的な回動位置関係が変動していく。例えば、外歯車２１が内歯車１１の内周面に沿って反時計回り方向に回動（自転）しながら時計回り方向に公転する相対運動が行われることにより、外歯部材２０の内歯部材１０に対する相対的な回動位置関係は、図示反時計回り方向に変動していく。なお、実際には、外歯部材２０がクッションフレーム３ｆに連結されて、内歯部材１０がバックフレーム２ｆに連結されているため、内歯部材１０が外歯部材２０に対して相対的に図示時計回り方向に回動するかたちとなる。
したがって、上記のように外歯車２１を内歯車１１の内周面に沿って相対的に公転運動させることにより、図２に示されるように、シートバック２のシートクッション３に対する背凭れ角度の調整が行えるようになっている。
【００１９】
次に、図１に戻って、一対のクサビ部材３０Ａ，３０Ｂの構成について説明する。すなわち、一対のクサビ部材３０Ａ，３０Ｂは、円弧状に湾曲した駒形状に形成されており、互いに左右対称の形状に形成されている。これらクサビ部材３０Ａ，３０Ｂは、図５に示されるように、外歯部材２０に形成された貫通孔２２の内周面と、内歯部材１０に形成された筒部１２の外周面と、の間の偏心した隙間形状の内部に軸対称の位置に配設されている。ここで、クサビ部材３０Ａ，３０Ｂは、上記の偏心した隙間形状に合わせて、図示上端部から下端部にかけて半径方向の肉厚が薄くなる偏向した形状に形成されている。
これらクサビ部材３０Ａ，３０Ｂは、常時はこれらに掛着された開リング状のバネ部材４０の附勢力によって、それぞれが偏心した隙間形状に挟み込み状に食い込んだ状態に保持されている。これにより、外歯部材２０は、その貫通孔２２の内周面から両クサビ部材３０Ａ，３０Ｂの食い込みによる押圧力を受け、外歯車２１が内歯車１１の内周面（内歯面）に押し付けられた状態として公転運動が押し止められた状態に保持される。詳しくは、クサビ部材３０Ａ，３０Ｂは、この隙間形状に食い込むことにより、筒部１２における図示上方側の外周面部と貫通孔２２の内周面部との間に食い込み力を作用させる。これにより、外歯車２１が筒部１２（内歯車１１）に対して図示上方側に押圧され、両歯（外歯２１ａ及び内歯１１ａ）がガタツキ（バックラッシ）のない状態に噛合された状態として保持される。
そして、クサビ部材３０Ａ，３０Ｂは、その一方が後述する押動部材５０によってバネ部材４０の附勢に抗して隙間形状の内部を円周方向に押動操作されることにより、食い込み状態から外される。具体的には、図６に示されるように、例えば押動部材５０が図示時計回り方向に軸回動操作されると、図示左側のクサビ部材３０Ａが同方向に押動される。これにより、同左側のクサビ部材３０Ａが食い込み状態から外されて隙間形状が空くため、図示右側のクサビ部材３０Ｂも食い込み状態から外された状態となる。これにより、外歯車２１が内歯車１１の内周面（内歯面）に押し付けられた状態から外されるため、外歯部材２０が公転運動可能な状態となる。そして、クサビ部材３０Ａ，３０Ｂは、押動部材５０の軸回動操作が止まることにより、再びバネ部材４０の附勢力によって偏心した隙間形状に挟み込み状に食い込んだ状態となる。すなわち、外歯部材２０は、押動部材５０が軸回動操作される動きによって公転運動し、押動部材５０の軸回動操作が止まることによって公転運動が押し止められてその状態に保持されるようになっている。
【００２０】
次に、図１に戻って、バネ部材４０について説明する。このバネ部材４０は、有端状のリング形状に形成されており、各端部に形成された掛部４１Ａ，４１Ｂがクサビ部材３０Ａ，３０Ｂの図示上端側の部位に掛着されている。これにより、バネ部材４０は、図５に示されるように、各クサビ部材３０Ａ，３０Ｂの上端部を互いに引き離す方向に附勢して、各クサビ部材３０Ａ，３０Ｂを偏心した隙間形状の内部に挟み込み状に食い込ませるようになっている。
【００２１】
次に、図１に戻って、押動部材５０について説明する。この押動部材５０は、全体が樹脂の一体成形によって薄い円板形状に形成されている。
この押動部材５０は、その円板形状の中心部に、板厚方向（軸方向）に突出した円筒形状の筒部５１が一体的に形成されている。この筒部５１の筒内には、内周面にセレーション状の溝面を有した円形状の嵌合溝５１ａが貫通形成されている。
そして、押動部材５０の円板形状の外周縁近傍の部位には、筒部５１と同じ板厚方向に突出した当接部５２Ａ，５３Ａ及び当接部５２Ｂ，５３Ｂが、円周方向に沿って一体的に形成されている。これら当接部５２Ａ及び当接部５２Ｂは、互いに軸対称となる位置に形成されている。そして、当接部５３Ａ及び当接部５３Ｂも、互いに軸対称となる位置に形成されている。
この押動部材５０は、図１を参照して分かるように、筒部５１を内歯部材１０に形成された筒部１２の挿通孔１２ａ内に緩嵌合させることにより、これに回動可能に軸支された状態として組み付けられる。なお、この押動部材５０の組付け状態は、図４においてよく表されている。
そして、図１に戻って、押動部材５０は、その組付け状態では、その円板面に突出形成された当接部５２Ａ，５３Ａ及び当接部５２Ｂ，５３Ｂを、各クサビ部材３０Ａ，３０Ｂの外周面部に形成された凹部３１Ａ，３２Ａ及び凹部３１Ｂ，３２Ｂ内に入れ込んだ状態として組み付けられる。
【００２２】
ここで、図５及び図６に示されるように、当接部５２Ａ，５３Ａ及び当接部５２Ｂ，５３Ｂは、その中心部からの外径寸法が、外歯部材２０に形成された貫通孔２２の内径とほぼ同じ大きさに設定されている。これにより、当接部５２Ａ，５３Ａ及び当接部５２Ｂ，５３Ｂは、常に、貫通孔２２の内周面と当接した位置状態に保持されるようになっている。
一方、クサビ部材３０Ａ，３０Ｂは、図７に示されるように、その食い込み状態では、貫通孔２２の内周面と当接した状態となる。しかし、図８に示されるように、クサビ部材３０Ａ，３０Ｂは、食い込み状態から外されることにより、貫通孔２２の内周面から離間した配置関係となる。
【００２３】
そして、図１に戻って、押動部材５０は、その筒部５１内に形成された嵌合溝５１ａ内に、操作軸６０が挿通されてこれと一体的に嵌合されている。この操作軸６０は、その外周面に嵌合溝５１ａと合致するセレーション状の溝面が形成されており、嵌合溝５１ａに挿通されることでこれと一体的に嵌合されるようになっている。これにより、押動部材５０は、操作軸６０と一体的となって軸回動操作されるようになっている。
したがって、図５に示されるように、クサビ部材３０Ａ，３０Ｂが食い込み状態となっている状態で、例えば押動部材５０が図示時計回り方向に回動操作されると、図示左側のクサビ部材３０Ａが、凹部３１Ａ，３２Ａ内に入り込んでいる当接部５２Ａ，５３Ａに押動されて同方向に押動されて、クサビ部材３０Ａ（及びクサビ部材３０Ｂ）が食い込み状態から外される。したがって、この状態から押動部材５０の同方向への軸回動操作が続けて行われることにより、貫通孔２２の内周面と当接状態となっている当接部５２Ａ，５３Ａ及び当接部５２Ｂ，５３Ｂが、円周方向に回動しながら、外歯車２１を公転運動させるべく貫通孔２２の内周面を円周方向に順に押圧していく。
すなわち、本実施例の構成では、クサビ部材３０Ａ，３０Ｂが食い込み状態となっている状態では、金属製のクサビ部材３０Ａ，３０Ｂが金属製の外歯部材２０や内歯部材１０に直接食い込みの作用力を及ぼすため、強い食い込み力が発揮される。そして、クサビ部材３０Ａ，３０Ｂの食い込み状態を外して、外歯車２１を公転運動させる際には、樹脂製の当接部５２Ａ，５３Ａ及び当接部５２Ｂ，５３Ｂを貫通孔２２の内周面上を摺動させることによって、小さな摺動抵抗力で外歯車２１を公転させるための押圧力を付与することができる。
【００２４】
次に、図１に戻って、外周リング７０について説明する。この外周リング７０は、薄板状の中空円板部材が板圧方向（軸方向）への半抜き加工によって段差のある円筒形状に形成されている。
この外周リング７０は、その内周縁側の部位面が、内歯部材１０の外板面の外周縁側の部位面に当て交われる内歯側保持面７１として形成されている。そして、外周リング７０の外周縁側の部位面は、図４に示されるように、外歯部材２０の外板面の外周縁側の部位面に当て交われるようにカシメられる外歯側保持面７２として形成されている。
したがって、この外周リング７０を、内歯部材１０と外歯部材２０とを組付けた状態で、これらを挟み込むようにしてカシメ固定することにより、これらが板圧方向に離間移動しないように挟持された状態として保持される。
【００２５】
続いて、本実施例の使用方法を説明する。
すなわち、図５に示されるように、リクライニング装置４は、操作軸６０の軸回動操作が行われる前の常時は、各クサビ部材３０Ａ，３０Ｂの食い込み力によって、外歯車２１の公転運動が押し止められた状態に保持されている。したがって、この状態では、図２に示されるように、シートバック２の背凭れ角度が維持された状態として保持される。
そして、図６に示されるように、操作軸６０が例えば図示時計回り方向に軸回動操作されることにより、図示左側のクサビ部材３０Ａが押動されて食い込み状態から外されると共に、この動きによって右側のクサビ部材３０Ｂも食い込み状態から外される。そして、この動きと共に、外歯車２１が内側から押圧されることで内歯車１１の内周面（内歯面）に沿って相対的に公転運動していくため、図２に示されるように、この動きによってシートバック２の背凭れ角度の調整が行われる。
そして、操作軸６０の軸回動操作が止まることにより、各クサビ部材３０Ａ，３０Ｂが再び食い込んだ状態となるため、外歯車２１の公転運動が再び押し止められた状態となって、シートバック２の背凭れ角度がその調整された位置に保持される。
【００２６】
このように、本実施例のリクライニング装置４によれば、外歯部材２０（外歯車２１）の公転運動を止める際には、クサビ部材３０Ａ，３０Ｂを外歯車２１と内歯車１１との間の隙間に直接食い込ませることができる。そして、外歯部材２０を公転運動させる際には、樹脂製の押動部材５０に形成された当接部５２Ａ，５３Ａ及び当接部５２Ｂ，５３Ｂを、外歯部材２０に形成された貫通孔２２の内周面上を摺動させることによって、外歯車２１を内側から押動して公転運動させることができる。したがって、外歯部材２０の公転運動を止めた状態に保持するためのクサビ部材３０Ａ，３０Ｂの食い込み力を確保し、かつ、外歯部材２０を内側から押圧して公転運動させる際の摺動する動きを滑らかにすることができる。
更に、外歯部材２０を押動するための構成として、押動部材５０の円周方向に複数の当接部５２Ａ，５３Ａ及び当接部５２Ｂ，５３Ｂを設定したことにより、外歯部材２０を押圧するための強度を確保することができ、押動操作を安定して行うことができる。
更に、当接部５２Ａ，５３Ａ及び当接部５２Ｂ，５３Ｂを、クサビ部材３０Ａ，３０Ｂを押動して食い込み状態から外すための押動部としても構成したことにより、押動部材５０の構成を合理化してコンパクトにすることができる。
更に、当接部５２Ａ，５３Ａ及び当接部５２Ｂ，５３Ｂを、クサビ部材３０Ａ，３０Ｂに形成された凹部３１Ａ，３２Ａ及び凹部３１Ｂ，３２Ｂ内に配設したことにより、当接部５２Ａ，５３Ａ及び当接部５２Ｂ，５３Ｂの配置スペースを小さく収めることができる。
更に、本実施例のように連結装置を車両用シートのリクライニング装置４として適用したことにより、シートバック２の背凭れ角度の調整を円滑に、かつ安定して行うことができる。
更に、押動部材５０がクサビ部材３０Ａ，３０Ｂ等の組付け部材を外側から覆い隠すような大きな円板形状に形成されているため、各作動部に塗布されたグリスが外側に漏れ難くなるように保護することができる。
【００２７】
以上、本発明の実施形態を１つの実施例を用いて説明したが、本発明は上記実施例のほか各種の形態で実施できるものである。
例えば、上記実施例では、本発明の連結装置をリクライニング装置として採用した例を示したが、他の連結装置に採用することもできる。すなわち、互いに相対回動可能に配設された２つの回動部材の間に位置してこれらを連結するリクライニング装置以外の連結装置としても採用することができる。
また、外歯車が内歯車よりも歯数が多く形成されていても良い。この場合には、外歯車の相対的な公転に伴って外歯部材は内歯部材に対して上記実施例で示した方向とは逆方向に相対回動する。
また、クサビ部材を食い込み方向に附勢する附勢部材としてバネ部材を示したが、ゴム部材等の他の弾性附勢力を発揮する部材を適用することもできる。
また、押動部材全体を樹脂の一体成形によって形成したものを示したが、少なくとも外歯車に押圧力を付与する当接部が樹脂製となっていればよい。また、当接部を、クサビ部材を食い込み状態から外すための押動部としても構成したものを示したが、押動部を別途に設けた構成であってもよい。また、当接部は１つであっても構わないが、この場合には、外歯車に対する押圧力が確保されるように一定の強度を持たせる必要がある。また、当接部をクサビ部材の凹部内に配設したものを示したが、クサビ部材の端部を押動するように配設してもよい。
【図面の簡単な説明】
【００２８】
【図１】実施例１のリクライニング装置の分解斜視図である。
【図２】車両用シートの概略構成図である。
【図３】リクライニング装置の車両用シートへの取付構造を表した斜視図である。
【図４】リクライニング装置の内部構造を表した図５のIV-IV線断面図である。
【図５】リクライニング装置の内部構造を表した図３のV-V線断面図である。
【図６】図５の状態からクサビ部材の食込み状態が外された状態を表した構成図である。
【図７】図５のクサビ部材の食い込み状態を拡大して表した模式図である。
【図８】図６のクサビ部材が食い込み状態から外された状態を拡大して表した模式図である。
【符号の説明】
【００２９】
１      シート
２      シートバック
２ｆ    バックフレーム（２つの回動部材のうちの一方）
２ａ    ダボ孔
２ｂ    Ｄダボ孔
２ｃ    挿通孔
３      シートクッション
３ｆ    クッションフレーム（２つの回動部材のうちの他方）
３ａ    ダボ孔
３ｂ    Ｄダボ孔
３ｃ    挿通孔
４      リクライニング装置（連結装置）
１０    内歯部材
１１    内歯車
１１ａ  内歯
１１ｒ  中心
１２    筒部
１２ａ  挿通孔
１３ａ  ダボ
１３ｂ  Ｄダボ
２０    外歯部材
２１    外歯車
２１ａ  外歯
２１ｒ  中心
２２    貫通孔
２３ａ  ダボ
２３ｂ  Ｄダボ
３０Ａ，３０Ｂ  クサビ部材
３１Ａ，３１Ｂ  凹部
３２Ａ，３２Ｂ  凹部
４０    バネ部材
４１Ａ，４１Ｂ  掛部
５０    押動部材
５１    筒部
５１ａ  嵌合孔
５２Ａ，５２Ｂ  当接部
５３Ａ，５３Ｂ  当接部
６０    操作軸
７０    外周リング
７１    内歯側保持面
７２    外歯側保持面
【図１】
2008194280.tif 000003
【図２】
2008194280.tif 000004
【図３】
2008194280.tif 000005
【図４】
2008194280.tif 000006
【図５】
2008194280.tif 000007
【図６】
2008194280.tif 000008
【図７】
2008194280.tif 000009
【図８】
2008194280.tif 000010